(57)【要約】【課題】【解決手段】  本開示は、第１ポリマ基板（２０）を有する第１ページ（５４）と、第１ページ（５４）に取り付けられる又は第１ページ（５４）とともに形成された第１補強層（５７）とを備える機密文書（１０）に関する。外側ページ（６０）は、折り線（１４）に沿って第１ページに取り付けられ、第１ページ（５４）とカバー（１３）との間に配置される。第１補強層（５７）は、少なくとも一部が折り線（１４）に沿って、かつ、少なくとも一部が折り線（１４）から離れて、折り線（１４）の両サイドで第１ページ（５４）に沿って広がる。本開示はさらに、そのような機密文書（１０）及び複数のそのような機密文書（１０）を製造する方法に関する。【選択図】図８
2019511389.tif 000002
【特許請求の範囲】
【請求項１】
折り線に沿ってあわせて取り付けられた少なくとも２枚のページと、前記少なくとも２枚のページの外側に配置されたカバーとを有する機密文書であって、
前記少なくとも２枚のページは、
第１ポリマ基板を有する第１ページと、
前記第１ページと前記カバーの間に配置された外側ページとを有しており、
前記第１ページでは、第１補強層が、前記第１ページに取り付けられる、又は、前記第１ページとともに形成されており、前記第１補強層は、少なくとも一部が前記折り線に沿って、かつ、少なくとも一部が前記折り線から離れて、前記折り線の両サイドで前記第１ページに沿って広がるストリップである、機密文書。
【請求項２】
前記少なくとも２つのページは、複数の縫い目によって、前記折り線に沿ってあわせて取り付けられる、請求項１に記載の機密文書。
【請求項３】
前記第１補強層と前記第１ページをあわせたものは、前記折り線からの裂け始めに対して、前記第１ページのみよりも高い抵抗を有する、請求項１又は２に記載の機密文書。
【請求項４】
前記第１補強層は、前記第１ページに接着、結合及び／若しくは融合される、請求項１〜３のいずれか１つに記載の機密文書。
【請求項５】
前記第１補強層は、テープ、メッシュ織物、織布、ポリマフィルム、セキュリティスレッド及び繊維性基板のうちの少なくとも１つを備える、請求項１〜４のいずれか１つに記載の機密文書。
【請求項６】
前記第１補強層は、少なくとも１つのスパインセキュリティ特徴部を有する、請求項１〜５のいずれか１つに記載の機密文書。
【請求項７】
前記第１補強層はベース基板を有しており、前記少なくとも１つのスパインセキュリティ特徴部は、前記ベース基板に配置されている、又は、前記ベース基板に少なくとも一部が埋め込まれている、請求項６に記載の機密文書。
【請求項８】
前記少なくとも１つのスパインセキュリティ特徴部は、前記機密文書が開いているときに見ることができる、請求項６又は７に記載の機密文書。
【請求項９】
前記少なくとも１つのスパインセキュリティ特徴部は、前記機密文書が閉じられているときに隠れている、請求項６〜８のいずれか１つに記載の機密文書。
【請求項１０】
前記第１補強層は、前記機密文書が開いていると、前記少なくとも１つのスパインセキュリティ特徴部が隠れるように、少なくとも一部が前記カバー又は前記外側ページに取り付けられている、請求項９に記載の機密文書。
【請求項１１】
前記少なくとも１つのスパインセキュリティ特徴部は、印刷インク、非メタライズ特徴部、光学的可変液体結晶材料、レーザマーキング、レーザ穿孔、エンボス加工、スレッド、ストリップ、パッチ、ホログラム、ホイル、ホットホイル、透かし、電子透かし、セキュリティファイバ、プランシェット、アンテナ、電子チップ、１つ以上のウィンド、にじ色増幅干渉材料、機械読み取り材料及び少なくとも１つの不透明層のうちの少なくとも１つから選定された、請求項６〜１０のいずれか１つに記載の機密文書。
【請求項１２】
前記少なくとも１つのスパインセキュリティ特徴部は、認識可能なパターン、しるし、英数字、シンボル、ロゴ及び図形のうちの少なくとも１つ及び／又は個人データを形成する、請求項６〜１１のいずれか１つに記載の機密文書。
【請求項１３】
前記第１ページは、前記折り線の第１サイドに第１ポリマページを有し、かつ、前記折り線の第２サイドにさらなるポリマページを有し、
前記第１ポリマページは個人データを有する、請求項１〜１２のいずれか１つに記載の機密文書。
【請求項１４】
前記さらなるポリマページは、前記折り線の第２サイドにタブを有しており、
前記タブは、前記第１ポリマページより小さく、かつ、前記第１補強層を備える、請求項１３に記載の機密文書。
【請求項１５】
前記カバーは前記折り線に取り付けられる、請求項１〜１４のいずれか１つに記載の機密文書。
【請求項１６】
外側補強層は、前記折り線周りの前記外側ページに取り付けられる、請求項１５に記載の機密文書。
【請求項１７】
前記外側ページは前記カバーに取り付けられている、請求項１〜１６のいずれか１つに記載の機密文書。
【請求項１８】
第２ページに取り付けられた第２補強層をさらに有し、
前記第２補強層は、少なくとも一部が前記折り線に沿って広がり、少なくとも一部が前記折り線から離れて広がる、請求項１〜１７のいずれか１つに記載の機密文書。
【請求項１９】
前記第１ポリマ基板は、前記ポリマ基板の少なくとも１つの表面に柔軟性のあるフィルフィルム及び／又は少なくとも１つの不透明層を有する、請求項１〜１８のいずれか１つに記載の機密文書。
【請求項２０】
前記第１ポリマ基板は、ポリプロピレン、二軸延伸ポリプロピレン、ポリブチレン・テレフタレート、ポリエチレン・テレフタレート、ポリエチレン、ポリ塩化ビニル、ナイロン、アクリル、環状オレフィンポリマ、環状オレフィン共重合体、それらの混合のうちの少なくとも１つを含む、請求項１〜１９のいずれか１つに記載の機密文書。
【請求項２１】
前記折り線に沿って、前記第１ページに取り付けられた第３ページを有し、
前記第３ページは、第２ポリマ基板と、前記第２ポリマ基板から広がる接続タブとを有する、請求項１〜２０のいずれか１つに記載の機密文書。
【請求項２２】
前記第１ポリマ基板の構造及び／又は材料は、前記第２ポリマ基板の構造及び／又は材料とは異なっており、
かつ／又は、
前記第１ポリマ基板は、前記第２ポリマ基板とは異なる合成ポリマを有する、請求項２１に記載の機密文書。
【請求項２３】
前記第２ポリマ基板は、剛性プラスチックシートを有しており、かつ／又は、融合された複数のプラスチック層から形成される、請求項２２に記載の機密文書。
【請求項２４】
前記第２ポリマ基板は、前記第１ポリマ基板より厚い、請求項２２又は２３に記載の機密文書。
【請求項２５】
前記接続タブは、前記第２ポリマ基板よりも薄いかつ／又は柔軟性がある、請求項２１〜２４のいずれか１つに記載の機密文書。
【請求項２６】
前記接続タブは、複数の縫い目によって、前記第１補強層を介して、前記折り線に沿って前記第１ページに取り付けられている、請求項２１〜２５のいずれか１つに記載の機密文書。
【請求項２７】
前記第１ポリマ基板及び／又は前記第２ポリマ基板は、少なくとも一部が透明な前記第１ポリマ基板及び／又は前記第２ポリマ基板の少なくとも１つのウィンドを有する、請求項１〜２６のいずれか１つに記載の機密文書。
【請求項２８】
第１ポリマ基板を有する第１ページを形成する工程と、
前記第１ページに第１補強層を取り付ける、又は、前記第１ページを前記第１補強層とあわせて形成する工程と、
折り線に沿って少なくとも１枚のさらなるページに前記第１ページを取り付ける工程と、
前記第１ページと前記少なくとも１枚のさらなるページとの外側にカバーを配置する工程とを有しており、
前記カバーを配置する工程において、前記少なくとも１枚のさらなるページは、前記第１ページと前記カバーとの間に配置された外側ページを有しており、前記第１補強層はストリップであり、少なくとも一部が前記折り線に沿って、かつ、少なくとも一部が前記折り線から離れて、前記折り線の両サイドで前記第１ページに沿って広がっている、機密文書を製造する方法。
【請求項２９】
前記第１ページは、縫うことにより、前記折り線に沿って前記少なくとも１枚のさらなるページに取り付けられる、請求項２８に記載の方法。
【請求項３０】
前記第１補強層は、結合又は接着によって、前記第１ページに接着される、又は、前記第１ページとともに形成される、請求項２８又は２９に記載の方法。
【請求項３１】
前記第１ページは、前記第１ポリマ基板のフィルムのウェブから形成され、少なくとも１つの不透明層を前記第１ポリマ基板の少なくとも一面に適用することにより形成される、請求項２８〜３０のいずれか１つに記載の方法。
【請求項３２】
前記少なくとも１枚のさらなるページは、繊維性基板を有しており、
繊維を支持表面に配置し、前記繊維基板の層を形成する工程と、
前記支持表面から前記繊維性基板層を切り取る工程と、
前記繊維性基板層を乾燥させる工程と、により形成される、請求項２８〜３０のいずれか１つに記載の方法。
【請求項３３】
前記少なくとも１枚のさらなるページは、第２ポリマ基板を有しており、
少なくとも１つのウィンドを形成する複数のプラスチック層をラミネータに供給する処理工程と、前記ラミネータにおける前記複数のプラスチック層へ熱と圧力を加え、前記第２ポリマ基板を形成する処理工程とを含む、前記少なくとも１枚のさらなるページを形成する工程を有する、請求項２８〜３０のいずれか１つに記載された方法。
【発明の詳細な説明】
【技術分野】
【０００１】
本開示は、第１ポリマページを備える第１ページと、第１ページに取り付けられた又は第１ページとともに形成された第１補強層とを有する機密文書に関する。本開示はさらに、そのような機密文書やそのような機密文書を多数製造する方法に関する。
【背景技術】
【０００２】
パスポート、通帳、身分証明証、免許証、許可証、小切手帳等のような機密文書やブックレットは、通常、情報が提供されている１以上のセキュリティページを有する。パスポートブックレットは、一般的にカバーとカバーの間に複数の内側ビザページを有する。一般的に、ビザページは、約８５ｇｓｍの坪量を有する紙から作られ、縫い線に沿って縫い合わされる。カバーはビザページの外側に接着されており、それによって、縫い線を保護する。少なくとも１つのデータページは、通常、１枚のビザページとカバーの間に配置されており、通常フィルム又はラッカーとして用いられるポリマラミネートの層により覆われた印刷個人データを含んでいる。この層は、データを保護し、偽造や詐欺的改変を防ぐことに役立つ。データページは、繊維性基板から形成され、透かし、レーザ穿孔、セキュリティ繊維、セキュリティスレッド、セキュリティ印刷等のセキュリティ特徴部を備え得る。
【０００３】
代替として、データページは、プラスチックを含むシートから形成されてもよく、そのプラスチックは、一般的にポリカーボネイトである。プラスチックデータページは、繊維性基板データページより耐久性があり、偽造者による離層を防ぐ。プラスチックセキュリティシートは、例えば、ＵＶ反応装置といった様々なセキュリティ特徴部、光学的可変特徴部、窓付けされた又は透明な特徴部、レーザ穿孔特徴部、レーザマーキング特徴部、触知特徴部を備え得る。しかしながら、新しく改良されるセキュリティ特徴部は、偽造方法に先行して、権限を発する機密文書のために改善されなければならない。
【０００４】
ＥＰ−Ｂ−２００４４２１は、内側ページの外側カバーシートに補強ストリップを追加することを開示している。これは、露出縫い線を保護し、カバー内側に取り付けられたブックレット全体を補強するためのものである。補強ストリップは、縫い線を覆い、不注意によるダメージから縫い線を保護する。
【発明の概要】
【発明が解決しようとする課題】
【０００５】
そのため、本発明は、通常、十分に柔軟性があることが好ましいポリマ基板を複数ページの機密文書に組み込むことに関する。そのような柔軟なポリマ基板は通常、「ポリマ」紙幣を形成するために使用され、様々なセキュリティ特徴部を含み得る。本発明の目的は、柔軟なポリマ基板を複数ページの機密文書に組み込む困難性を解決することと、柔軟なポリマ基板を有する機密文書のセキュリティと強度を高めることを含む。さらなる目的は、柔軟なポリマ基板を含むセキュリティ文書を製造する改良方法を提供することである。
【課題を解決するための手段】
【０００６】
そのため、本発明は、折り線に沿ってあわせて取り付けられた少なくとも２枚のページと、少なくとも２枚のページの外側に配置されたカバーと、を有する機密文書を提供し、少なくとも２枚のページは、第１補強層が第１ページに取り付けられる、又は、第１ページとともに形成されている第１ポリマ基板を備える第１ページと、少なくとも一部が折り線に沿って、かつ、少なくとも一部が折り線から離れて、折り線の両サイドで第１ページ沿って広がる第１補強層と、第１ページとカバーとの間に配置された外側ページと、を有する。
【０００７】
第１補強層は、第１ページが縫い線からの引っ張り力にさらされると、補強層がその引っ張りに対抗するように配置され得る。特に、第１補強層は、少なくとも２ページにわたって縫い線を有する折り線に沿って裂けることを妨げるように構成され得る。補強層を備えることによって、第１ポリマ基板の裂け始めの可能性は低下するかつ／又は避けられ得る。これは、露出縫い線を保護することに関するＥＰ−Ｂ−２００４４２１の補強ストリップの効果とは相当異なる効果を達成することに留意されたい。
【０００８】
第１ポリマ基板は、繊維基板セキュリティシートより耐久性があり、偽造者による離層がされにくい。さらに、第１ポリマ基板は、ポリカーボネイトに基づくデータページより薄く、そのため、より小型の機密文書を生成する。様々な異なるセキュリティ特徴部と装置もまた、第１ポリマ基板に含まれ、セキュリティ特徴部のみによってであろうと、隣接するページのセキュリティページとの相互作用によってであろうと、に関わらず、偽造の困難性を高め得る。
【０００９】
機密文書が開けられているとき、第１補強層を見ることができることが望ましい。さらに望ましくは、機密文書が、第１ページが見えるように開けられているとき、第１補強層を見ることができる。第１ページは、個人データを含み、機密文書データページを形成し得る。機密文書が、第１ページ内又は第１ページ上に配置された個人データが見えるように開かれているとき、第１補強層を見ることができる。全ての実施形態において、第１補強層は、縫い線の第１サイドと第２サイドの片方又は両方で見ることができる。
【００１０】
第１補強層は、外側ページに隣接する第１ページの外側表面に配置され、かつ／又は、第１ページの内側かつ内側第２ページに隣接して配置され得る。特定の実施形態において、第１補強層は、第１ページの外側表面に配置され、個人データは、第１ページの内側表面に配置される。
【００１１】
望ましい実施形態において、第１補強層は透明である。機密文書が開いているとき、少なくとも１つのスパイン（背部）セキュリティ特徴部を見ることができることが望ましい。望ましい実施形態において、第１補強層は、機密文書が閉じられているときは、少なくとも１つのスパインセキュリティ特徴部が隠されるように、少なくとも一部がカバー又は外側ページに取り付けられている。望ましい実施形態において、機密文書は、第１ページの外側に配置されたカバー及び／又は第１ページの内側に配置されたさらなるページを有し、カバー及び／又はさらなるページは、折り線に取り付けられている。機密文書は、折り線に取り付けられ、第１ページとカバーとの間に配置された外側ページを有しており、外側補強層は、折り線周りの外側ページに取り付けられている。
【００１２】
本発明はさらに、機密文書を製造する方法を提供する。その方法は、
第１ポリマ基板を有する第１ページを形成する工程と、
第１補強層を第１ページに取り付ける又は第１補強層を第１ページとあわせて形成する工程と、
少なくとも１枚のさらなるページを折り線に沿って第１ページに取り付ける工程と、
第１ページと少なくとも１枚のさらなるページの外側にカバーを配置する工程とを有し、
少なくとも１枚のさらなるページは、第１ページとカバーとの間に配置された外側ページを有しており、
この方法において、第１補強層は、少なくとも一部が折り線に沿って、かつ、少なくとも一部が折り線から離れて、折り線の両サイドで第１ページに沿って広がる。
【図面の簡単な説明】
【００１３】
実施例としてのみ、本発明に係る機密文書と製造方法の実施形態は、添付図面を参照して説明される。
【図１】本発明に係る、開いた形態のパスポートの概略図を示す。
【図２】第１ポリマページと隣接するページとの間で開かれた図１のパスポートの平面図を示す。
【図３】図２の第１ポリマページのＡ−Ａによる側面断面図を示す。
【図４】第１ポリマページとカバーとの間で開かれた図２のパスポートの平面図を示す。
【図５】本発明に係る、機密文書の折り線領域の概略側面断面図を示す。
【図６】第１ポリマページとカバーとの間で開かれた、本発明の機密文書のさらなる実施形態の概略図を示す。
【図７】第１ポリマページとカバーとの間で開かれた、本発明の機密文書のさらなる実施形態の概略図を示す。
【図８】本発明に係る機密文書のさらなる実施形態の折り線領域の概略側面断面図を示す。
【図９】第１ページとカバーとの間で開かれた、本発明の機密文書のさらなる実施形態の概略図を示す。
【図１０】第１ポリマページと第２ポリマページとの間で開かれた、本発明のパスポートのさらなる実施形態の概略図を示す。
【図１１】第１ポリマページと隣接ページとの間で開かれた、図１０のパスポートの概略図を示す。
【図１２】図１０のＢ−Ｂ断面による第２ポリマページの側面断面図を示す。
【図１３】第２ポリマページとカバーとの間で開かれた図１０のパスポートの平面図である。
【図１４】図１０のパスポートの折り線領域の概略側面断面図を示す。
【発明を実施するための形態】
【実施例１】
【００１４】
図１から図４は、本発明に係る機密文書１０を示す。この場合の機密文書１０は、パスポートであり、互いに相対して回転できるように端部で取り付けられた第１ポリマページ１１と、第１ポリマページ１１に隣接する隣接ページ１２と、カバー１３と、を備える。図示された実施形態において、ページ１１，１２とカバー１３は、ヒンジとも呼ばれ得る折り線１４に沿って取り付けられる。この例において、第１ポリマページ１１は、機密文書１０の所有者に関する個人データ１５を含むデータページである。隣接ページ１２は、一般的に、例えば、紙等の繊維性基板１７から作られる複数のビザページ１６のうちの１ページを形成し、例えば、セキュリティファイバや透かしといった多数のセキュリティ特徴部を含み得る。
【００１５】
図３にさらなる詳細が示されているように、第１ポリマページ１１は、第１外側表面１８と第２外側表面１９の間に広がり、第１ポリマ基板２０を有する。第１ポリマ基板２０は、第１ポリマページ１１の本体を形成し、第１基板表面２１、第２基板表面２２を有する。第１ポリマ基板２０は、観察者が対象をはっきりと見ることができるように透き通っていることが望ましい。しかしながら、第１ポリマ基板２０は、著しい散光なく光を通すことができれば、色付きでなくても色付きであってもよい。第１ポリマ基板２０の厚さは、約５０μｍから約１００μｍの範囲であることが望ましく、約６０μｍから約８０μｍの範囲にあることがより望ましく、約７０μｍであることが最も望ましい。
【００１６】
第１ポリマ基板２０は、１つ以上のポリマ材料から形成され、望ましくはプラスチック、さらに望ましくは熱可塑性物質から形成される。ポリマ材料は、合成物質であってもよく、例えば、ポリプロピレン（ＰＰ）、二軸延伸ポリプロピレン（ＢＯＰＰ）、ポリブチレン・テレフタレート（ＰＢＴ）、ポリエチレン・テレフタレート（ＰＥＴ）、ポリエチレン（ＰＥ）、ポリカーボネイト（ＰＣ）、ポリ塩化ビニル（ＰＶＣ）、ナイロン、アクリル、環状オレフィンポリマ（ＣＯＰ）若しくは環状オレフィン共重合体（ＣＯＣ）のうちの少なくとも１つを含んでいてもよい。それらの適切な混合は、テスリン（商標登録）（ＲＴＭ）及びＰＥとＰＰの混合を含む。ＢＯＰＰは特に適している。第１ポリマ基板２０は、非繊維性であってもよく、非多孔質であってもよい。第１ポリマ基板２０は、モノリシックであり、１種類の材料から形成されていてもよく、多層状であり、同種ポリマ又は異種ポリマの多層を有していてもよい。
【００１７】
少なくとも１つの不透明な層２３，２４は、第１基板表面２１及び／又は第２基板表面２１，２２上に配置され、第１ポリマページ１１の少なくとも１つのウィンド２５を構成又は縁取る。第１ポリマ基板２０は、基板内部に不透明な領域又は層を含まなくてもよい。フルウィンド２５は、透明な第１ポリマ基板２０だけから形成されるため、十分に透明である。
【００１８】
少なくとも１つの不透明な層２３，２４は、十分に不透明であり、第１ポリマページ１１を介して光が伝達することをほぼ妨げる。少なくとも１つの不透明な層２３，２４は、非透明材料を十分に含んでおり、層上に配置された図形と個人データ１５のための適切な背景を提供する。少なくとも１つの不透明な層２３，２４は、例えば色素のような、光散乱物質を少なくとも含む重合体非繊維性材料を含んでいてもよい。例えば、少なくとも１つの不透明層２３，２４は、樹脂、例えば、ポリウレタンベースの樹脂、ポリエステルベースの樹脂若しくはエキスポベースの樹脂と、不透明色素、例えば、二酸化チタン、シリカ、酸化亜鉛、酸化スズ、粘土若しくは炭酸カルシウムを含んでいてもよい。少なくとも１つの不透明層２３，２４は、第１基板表面２１かつ／又は第２基板表面２２の少なくとも大部分を覆うことが望ましい。
【００１９】
第１ポリマページ１１は、さらに、第１ポリマ基板２０の第１基板表面２１かつ／又は第２基板表面２２と、第１不透明層２３かつ／又は第２不透明層２４の間に中間層（図面には示されていない）を備えていてもよい。
【００２０】
複数の英数字形態である個人データ１５は、第１不透明層２３かつ／又は第２不透明層２４内又は該層２３，２４上に配置される。個人データ１５は、例えば、所有者のポートレート２６、所有者の名前、国籍及び生年月日を提供するテキスト２７及び機械読み取り用データを含む機械読み込み領域２８を含み得る。個人データ１５は、「可変データ」又は「個人データ」として知られており、機密文書１０の特定の所持者の身元を明らかにする。国際民間航空機関（ＩＣＡＯ）発行のドキュメント９３０３の第７編（２０１５年）（機械読み取りトラベルドキュメント）は、そのような個人データを記載しており、その内容が本明細書に援用されている。通常、１つの発行機関が発行した２つの機密文書１０が同一個人データ１５を含むことはない。個人データ１５は、適切な方法、例えば、印刷インク又はレーザマーキングを備えることによって第１ポリマページ１１へ組み込まれ得る。個人データ１５は、ＵＶキュアインクジェット印刷によって、少なくとも１つの不透明層２３，２４に適用されることが望ましい。
【００２１】
第１ポリマページ１１はさらに、少なくとも１つの第１セキュリティ装置３０を有しており、該装置３０は、少なくとも一部がウィンド２５内に配置され得、又は、代替としてウィンド２５の外側に配置され得る。図示された実施形態において、第１セキュリティ装置３０は、ウィンド２５内に完全に配置された第１構成要素３１を有する。第１ポリマページ１１はまた、機密文書１０を本物であると認証するために、第１ポリマ基板２０内部及び／又は少なくとも１つの不透明層２３，２４上に多数の別のセキュリティ特徴部を備え得る。図形の層もまた、個人データ１５周辺又は個人データ１５の下の、少なくとも１つの不透明層２３，２４に提供され得る。
【００２２】
第１ポリマページ１１は、とりわけ、第１ポリマ基板２０が相対薄いため、相当柔軟である。第１外側表面１８と第２外側表面１９との間の距離（つまり、第１ポリマ基板２０と少なくとも１つの不透明層２３，２４とを含む距離）である、第１ポリマページ１１の厚さはｍ約５０μｍから約２００μｍの範囲内であることが望ましく、約５０μｍから約１５０μｍの範囲内であることがより望ましい。
【００２３】
隣接ページ１２は、少なくとも１つの第２セキュリティ装置３５を有しており、少なくとも１つの第２セキュリティ装置３５は、少なくとも１つの第２構成要素３２を有する。第２セキュリティ装置３５は、対向する表面３８に適用又は付着されてもよく、又は、少なくとも一部が本分野で既知の方法で対向する表面３８に埋め込まれてもよい。図示された実施形態において、少なくとも１つの第２セキュリティ装置３５は、繊維性基板１７に組み込まれた、又は該基板１７に適用されたセキュリティスレッド３６を有しており、該基板１７は、第１ポリマページ１１と対向する繊維性基板１７の表面３８かつ少なくとも１つのブリッジ３９に、少なくとも１つの露出樹脂３７を有する。少なくとも１つのブリッジ３９は、露出領域３７の間でセキュリティスレッド３６を覆う繊維性基板１７を構成する。少なくとも１つの第２構成要素３２は、印刷され、セキュリティスレッド３６の露出領域３７に配置される。
【００２４】
折り線１４に沿った第１ポリマページ１１と隣接ページ１２の取り付けは、互いに回転又は旋回できるようにする適切な形態のいずれであってもよい。例えば、機密文書１０は、ＷＯ−Ａ−２０１１／１５１６３８で開示されているような方法で構成され得る、折り線１４に沿った縫い線を備え得る。機密文書１０は、第１ポリマページ１１、隣接ページ１２及びビザページを形成し、縫い線に沿って連結された複数のページを備え得る。少なくとも１つの縫糸は、複数のビザページ１６を形成する繊維性基板１７と第１ポリマページ１１を形成する第１ポリマ基板２０とを貫通し得る。外側ビザページ１６と第１ポリマ基板２０の全部又は一部がカバー１３に接着され、ブックレットを形成する。
【００２５】
機密文書１０はさらに、第１ポリマページ１１とカバー１３との間の取り付けを補強するために適合される折り線１４に関する補強配置５０を有する。第１ポリマ基板２０における裂け始めは、縫い線によって形成された開口により生じ、通常、第１ポリマ基板２０は、裂け始めると、高い引き裂き伝播率を有するため、そのような補強は効果的である。これは、引き裂けは容易に生じるが、伝播率は低い繊維性基板１７とは異なる。
【００２６】
図５は、補強配置５０の望ましい実施形態を示しており、そこでは、複数のビザページ１６、第１ポリマページ１１及びカバー１３が、実際はあわせられているが、互いに離れた状態で示されている。機密文書１０は、折り線１４の両サイドに第１サイド５１と第２サイド５２とを有する。折り線１４は、第１、第２サイド５１，５２が回転させられ、あわせられ得る軸を構成する。機密文書１０は、第１ページ５４を備えており、第１ページ５４は、カバー１３に隣接し、かつ、第１ポリマ基板２０と少なくとも１つの不透明層２３，２４とを有する。それゆえ、第１ページ５４は、第１サイド５１に、この場合においてはデータページである第１ポリマページ１１を有し、第２サイド５２にさらなるポリマページ５９を有する。機密文書１０は、第１ページ５４の内側に第２ページ５５を有しており、第１サイド５１に隣接ページ１２と第２サイド５２にビザページ１６を有する。さらなるページ５６は、第２ページ５５の内側に配置されており、第１、第２サイド５１，５２にさらなるビザページ１６を形成する。カバー１３は、そのような配置において、１ページと見なされ得ることが留意される。図５は、２枚のさらなるページ５６を示しているが、機密文書１０は適切な枚数のさらなるページ５６を有し得る。
【００２７】
補強配置５０は、折り線１４に関して第１ページ５４に接続された第１補強層５７を、望ましくはカバー１３と第１ページ５４との間に有する。特に、第１補強層５７は、少なくとも一部が折り線１４の長さに沿って伸びる材料のストリップを有する。第１補強層５７はまた、第１ポリマページ１１とさらなるポリマページ５９とに沿った折り線１４の第１、第２サイド５１，５２で、折り線１４から少なくとも一部が離れて、第１ページ５４と平行に広がる。第１ページ５４が引っ張られた状態で配置されると、第１ページ５４よりも第１補強層５７がその力に反発し、それによって縫い線周りの引き裂け伝播を防ぐように、第１補強層５７は、縫い目により形成された穴周りの第１ページ５４の厚さが効果的に厚くなるように配置されることが望ましい。第１補強層５７は、厚くなった厚みに加えて、第１ポリマ基板２０よりも引き裂け始まりに耐える材料を有し得る。
【００２８】
「ストリップ」という言葉は、例えば、第１ページ５４より短い距離だけ折り線１４から離れて広がることにより、比較的幅が狭くなる第１補強層５７を意味し得る。例えば、第１補強層５７は、折り線１４の第１サイド５１と第２サイド５２の一方又は両方から、第１ページ５４の折り線１４からの伸びの半分、より望ましくは１／４まで第１ページ５４に沿って広がり得る。例えば、第１補強層５７は、第１ポリマページ１１の幅の半分又は１／４まで第１ポリマページ１１に沿って広がり得る。
【００２９】
第１補強層５７は、折り線１４の縫い目を覆い、簡単に付けられるように、少なくとも２ｍｍ幅であることが望ましい。第１補強層５７は、例えば、約２ｍｍから約２０ｍｍの範囲にある。第１補強層５７は、折り線１４に対して対称に又は折り線１４からオフセットして配置され得る。第１補強層５７は、折り線１４の長さの少なくとも約５０％、少なくとも約７５％、少なくとも約９０％若しくはおよそ全部に沿って広がり得る。
【００３０】
第１補強層５７は、溶接（特に、超音波溶接）、接着（例えば、感圧接着）等によって第１ページ５４に取り付けられ得る。第１補強層５７は、例えば、第１補強層５７の第１及び第２基板表面２１，２２の領域を、少なくとも１つの不透明層２３，２４と設けられていれば中間層とによって覆われないままにすることで、第１ポリマ基板２０に直接取り付けられることが望ましい。結果として、第１補強層５７は、補強溶接、補強接着などが形成されるように、第１ページ５４の主構造に直接取り付けられ得る。しかしながら、別の実施形態において、第１補強層５７は、少なくとも１つの不透明層２３，２４と、設けられていれば、中間層とに取り付けられ得る。
【００３１】
第１補強層５７は、第１ページ５４に取り付けられたベース基板６７を有しており、ベース基板６７に配置された、又はベース基板６７に少なくとも一部が埋め込まれた少なくとも１つのスパインセキュリティ特徴部６８（図６，７参照）を有し得る。ベース基板６７は、裂け始めに対してよりよい抵抗を提供し、少なくとも１つのスパインセキュリティ特徴部６８は、機密文書１０に追加のセキュリティ特徴部を提供し得る。第１補強層５７の望ましい実施形態は、以下を含む。
−第１補強層５７は、テープを有し、ベース基板６７を形成し、第１ページ５４に接着される。テープは、相当な裂け抵抗があり、折り線１４から離れて裂けることを防ぐように横糸と縦糸が配置される繊維のようなメッシュ織物を有していてもよい。テープは、コットン、ナイロン、紙、ポリウレタン、ゴム等のうちの少なくとも１つを有し得る。テープの厚さは、約１００μｍである。
−第１補強層５７は、第１ポリマ基板２０に関して上述したポリマのいずれかから選択され得る、ポリマフィルム又は層を有するベース基板６７を備え得る。そのような実施形態において、第１補強層５７は、本分野で知られているいずれのセキュリティスレッド（以下でさらに詳細に記載される）とも同様な方法で形成され得る。ポリマフィルムは、ＰＰ又はＰＥを有しており、第１ページ５４に結合又は接着され得る。特定の実施形態では、ベース基板は、約２３μｍ〜約３６μｍの範囲の厚さを有し、約８ｍｍから約１０ｍｍ幅のＰＥストリップを有する。特定の実施形態では、第１補強層５７は、交差積層ポリオレフィンを有する。ポリマフィルムは、第１補強層５７が、可視光で人間の目に簡単に認識できないように十分に不透明であることが望ましい。
−第１補強層５７は、第１ページ５４に接着された繊維性基板（例えば、紙やコットン）を有するベース基板６７を備え得る。結果として、第１補強層５７は、紙ストリップであってもよい。繊維性基板は、合成繊維又は天然繊維若しくはその両方の混合を含む、繊維種類の範囲を有し得る。セルロース、木材及び／又はコットンベースの混合は特に適している。
若しくは、
−第１補強層５７は、前記ベース基板６７の複合を有し得る。例えば、図７に示されるように、第１補強層５７は、ポリマフィルム、織布若しくは繊維性基板状のベース基板６７を含み、少なくとも１つのスパインセキュリティ特徴部６８は、セキュリティスレッド形状のポリマフィルムを含み得る。図７の配置は、以下でさらに説明される。
【００３２】
少なくとも１つのスパインセキュリティ特徴部６８は、機密文書１０の使用者に明確に見える明白な特徴部であることが望ましい。しかしながら、少なくとも１つのスパインセキュリティ特徴部６８は、可視光の下では、人間の目では区別ができず、代わりに、機械で読み取り可能又は非可視（例えば、ＵＶ）光で見ることができるという点で、変換特徴部であってもよい。セキュリティ特徴部のいずれかと、第１ポリマページ１１における少なくとも１つの第１セキュリティ装置３０もまた、第１ページ５４の第２サイド５２に設けられ、それによって、少なくとも１つのスパインセキュリティ特徴部６８の少なくとも一部が形成される。
【００３３】
図６に示すように、少なくとも１つのスパインセキュリティ特徴部６８は、通番等を形成するしるしを形成し得る。少なくとも１つのスパインセキュリティ特徴部６８は、認識可能なパターン、証印、英数字、シンボル、ロゴ（例えば、機密文書１０の発行機関のロゴ）、図形等、いずれの適切な形状を形成する境界線を有し得る。「認識可能な」という言葉は、明瞭な情報又はデータの任意の形態を伝達する形状を意味し得る。とりわけ望ましい実施形態において、少なくとも１つのスパインセキュリティ特徴部６８は、少なくとも個人データ１５の一部を形成する。少なくとも１つのスパインセキュリティ特徴部６８はまた、マイクロテキスト、細線パターン等を形成し得る。
【００３４】
少なくとも１つのスパインセキュリティ特徴部６８は、明らかなセキュリティ特徴部であることが望ましい。少なくとも１つのスパインセキュリティ特徴部６８は、以下の材料及び／又は特徴、それらの組み合わせのうちの少なくとも１つを有することが望ましい。
−ベース基板６７に配置される印刷インク。インクは、発光性、蛍光性、真珠光沢等があってもよい。インクは、例えば、インクジェット、ＵＶキュアインクジェット、ゼログラフィ法、グラビア印刷、オフセット印刷、フレキソ印刷、平板印刷等の印刷処理によって適用され得る。印刷インクは、例えば、
−光学検知可能な材料を備える変換印刷インク。印刷インクは、可視光では見ることができないが、カメラのような光学検知機を介して人の目かつ／又は機械では見ることができるように、透明であり得る。材料の光学検知特性は、例えば、非可視反射又は光吸収（例えば、ＵＶ又はＩＲ反射又は光吸収）、蛍光発光又は燐光（可視光では見ることができない活性発光及び／又は放射発光）等のような光ルミネセンス反応を含み得る。代替として、印刷インクは、可視光で見ることができるだけでなく、非可視光にさらされると、そのような特性を示すことができる。又は、
−異なる観察角度で印刷インクの見え方が異なるにじ色又は前記にじ色増幅干渉材料のような、様々な光学的特性を有する印刷インク。そのようなインクは、２つの異なる色の間で色シフトする光学的に可変な色素を含み、観察角度に依拠する色シフトが有名である。これらの色素の製造、使用及び特性は、特に、ＵＳ−Ｂ−５１７１３６３，ＵＳ−Ｂ−５５７１６２４，ＥＰ−Ａ−０３４１００２，ＥＰ−Ａ−０７３６０７３，ＥＰ−Ａ−６６８３２９，ＥＰ−Ａ−０７４１１７０及びＥＰ−Ａ−１１１４１０２に記載される。特に、インクを不透明な背景に対して反射光で見ると、インクは、十分に見ることができる色シフト効果を示し得る。適切なインクは、内容が本明細書に援用されているＧＢ−Ａ−２４４１２６１に開示される。光学的に可変なインクは、磁気性の光学可変色素を有しており、動的画像や３次元のような画像を生じさせる指向性磁気色素を有することにより、さらなる光学的効果を生むことができる。そのような特徴部の例は、ＥＰ−Ａ−１６７４２８２，ＵＳ−Ａ−２００４００５１２９７，ＵＳ−Ａ−２００５０１０６３６７，ＷＯ−Ａ−２００４００７０９５，ＷＯ−Ａ−２００６０６９２１８，ＥＰ−Ａ−１７４５９４０及びＥＰ−Ａ−１７１０７５６に記載される特徴部を含む。
−一部又は全部がベース基板６７に埋め込まれたスレッド、ストリップ、パッチ、ホイル、ホットホイル、ラミネート等が配置される。そのような特徴部は、繊維性基板を有するベース基板６７の場合が特に望ましい。セキュリティスレッドもまた特に適しており、例えば、ＥＰ−Ａ−００５９０５６又はＷＯ−Ａ−２００５／０６９２３１で開示されているように、繊維性基板に埋め込まれる、又は一部が埋め込まれ得る。セキュリティスレッドは、図７に示されるように、（上記で説明され、図１に示されたセキュリティスレッド３６と同様な方法で）ブリッジによって離隔された、又は、ベース基板６７に完全に埋め込まれた露出領域を有するように、ベース基板６７の表面に配置され、少なくとも一部がベース基板６７に埋め込まれ得る。本分野で知られているように、スレッド、ストリップ、パッチ、ホイル、ホットホイル、ラミネートは、以下のさらなるセキュリティ特徴部を含む。
−金属の層等がベース基板６７の表面を覆い、少なくとも１つのスパイン特徴部６８を形成するために予め決められた形状に除去された非メタライズ特徴部。代替として、適切な材料を備える不透明層がベース基板６７に適用され、少なくとも１つのスパイン特徴部６８を形成するために予め決められた形状に除去され得る。
−観測角度が異なると異なる色を示すにじ色増幅干渉材料。薄いフィルム干渉構造、干渉色素、液体結晶フィルム、フォトニック結晶等が例に含まれる。薄いフィルム干渉構造は、異なる屈折率の反復層を有する；純誘電体積層（金属酸化物又はポリマ）又は代替誘電体層や金属層から構成される純誘電体積層が例に含まれる。薄いフィルム干渉構造は、ＷＯ−Ａ−２０１５１１３１４３に開示されているブラッグスタック又は、ＥＰ−Ａ−２７１４４１１に開示されているフォトニック結晶調整材料や一次元フォトニック結晶としても知られている。そのようなにじ色干渉材料は、少なくとも一方が部分的に反射し、入射光の振幅を分割するように部分的に入射光を伝達する２つ以上の近接境界面を有する。伝達された部分は、第２又は続く境界面で反射し、第１又は早期境界面から反射された部分と相互作用し、ある波長との強め合う干渉や別の波長との弱め合う干渉に至る。結果として、材料は、観測角度によって変化する特性を示す。
−いずれのタイプでもよく、所望の目視効果を示す回折又は反射／屈折レリーフ構造。回折に基づくセキュリティ装置のそのような種類は、複数存在する。表面回折格子のアレイに基づく２つの通常のタイプは、オーストラリアのＣＳＩＲＯ（オーストラリア連邦科学産業研究機構）によって開発された「エクセルグラム」やスイスのＬａｎｄｉｓ  ａｎｄ  Ｇｙｒによって開発された「キネグラム」である。エクセルグラムに関しては、ＷＯ−Ａ−９３／１８４１９，ＷＯ−Ａ−９５／０４９４８，ＷＯ−Ａ−９５／０２２００に記載され、キネグラムに関しては、ＵＳ−Ａ４７６１２５３，ＥＰ−Ａ−０１０５０９９に記載されている。光学的スイッチ効果を示し得る別のタイプの回折装置は、従来の干渉ホログラム技術を使って製造されたホログラム構造である。紙幣のセキュリティ装置として使用されるそのような装置の典型的な例は、ＥＰ−Ａ−０５５８５７４に記載された多重重複ホログラムであり、そこでは、ホログラム効果を維持するために、ホログラムは空間的に離隔されたスイッチング画像を利用する。いくつかの実施形態において、回折レリーフの代わりに又はそれと同様に実施され得る構造を生じさせる光学的可変効果は、反射及び／又は屈折レリーフ構造（薄いフィルム干渉構造等を含む）であり、例えば、異なる種類のプリズム又はピラミッド構造であり得るファセットのアレイである。ファセットのような反射要素は、異なる観測角度で異なる強度（例えば、輝度）を示すように構成され得る。
−モアレ拡大装置、統合画像化装置及びいわゆるレンズ状の装置を含む、レンズのような集束素子を利用するセキュリティ装置。モアレ拡大装置（ＥＰ−Ａ−１６９５１２１，ＷＯ−Ａ−９４／２７２５４，ＷＯ−Ａ−２０１１／１０７７８２及びＷＯ２０１１／１０７７８３に例が記載されている）は、集束素子のアレイと対応するマイクロ画像アレイを利用しており、そこでは、集束素子とマイクロ画像のピッチ及び／又はそれらの相対位置が、マイクロ画像の拡大版がモアレ効果により生じるように、集束素子のアレイと不均衡に組み合わされる。各マイクロ画像は、最終的に観測される画像の完全最小版であり、集束素子のアレイは、基礎となる各マイクロ画像の小さい部分を選び出し、拡大するように機能し、そして、その小さい部分は、拡大画像全体を見ることができるように人間の目によって組み合わされる。統合画像装置は、マイクロ画像のアレイが対応するレンズのアレイ下に提供されるという点でモアレ拡大装置と同様であり、各マイクロ画像は示される画像の最小版である。しかしながら、本明細書では、レンズとマイクロ画像の間の不均衡はない。代わりに、各マイクロ画像を異なる観測点からでも同一物に見えるように配置することで視覚効果が生じる。一方でレンズ状の装置は、拡大、統合等によらない。集束素子、一般的なシリンドリカルレンズのアレイは、それぞれが、示される画像の一部のみを示している対応する画像セクション又は「スライス」を覆う。２つ以上の異なる画像からの画像スライスが挟み込まれ、各観測角度で集束素子を介して見ると、選出された画像スライスのみが観測者の方に向けられる。レンズ状の装置のいくつかの例は、ＵＳ−Ａ−４８９２３３６，ＷＯ−Ａ−２０１１／０５１６６９，ＷＯ−Ａ−２０１１０５１６７０，ＷＯ−Ａ−２０１２／０２７７７９及びＵＳ−Ｂ−６８５６４６２に記載される。及び、
−２つの重なり合うグリッドの間の視差を利用し、光学的可変効果を生じさせるベネチアンブラインドタイプの装置（集束素子に配置されるマスキンググリッドを利用する）。ＷＯ９７／０４７４７８に例が開示される。
−ベース基板６７は、ポリマフィルムを有し、少なくとも１つのスパインセキュリティ特徴部６８は、上記のようなセキュリティスレッドに通常組み込まれる適切な特徴部を備え得る。そのような特徴部はまた、通常、紙幣のような機密文書の表面に組み込まれる、又は、適用される；
−ベース基板６７内の、又は、ベース基板６７を介するレーザマーキング、レーザ穿孔、エンボス等；
−繊維性基板を含むベース基板６７の場合、関連セキュリティ装置、例えば、透かし、電子的透かし、セキュリティファイバ、プランシェット等；
−アンテナ、電子チップ等；
−ベース基板６７が、第１ページ５４がウィンドを介して見ることができるように、十分透明である１つ以上のウィンド；
−機械読み取り可能な材料は、印刷のようなよく知られた技術を使ってベース基板６７に組み込まれる、直接基板に埋め込まれる、若しくは、スレッド又はラミネート層のような付加的部材内に組み込まれ得る。機械読み取り可能な材料は、外部的刺激に反応する探知材料を含んでおり、その探知材料は、蛍光性、燐光性、赤外線吸収性、熱変色性、光発色性、磁気性、エレクトロミック、伝導性、及び、ピエゾクロミック材料に限定されない；及び／又は、
−少なくとも１つの不透明層２３，２４は、ベース基板６７の上に広がり、少なくとも１つのスパインセキュリティ特徴部６８は、上述のいずれかのように、少なくとも１つの不透明層２３，２４の中、又は、それら上のいずれかに形成され得る。第１及び第２不透明層２３，２４のうちの１つ以上は、ＥＰ−Ａ−０９６１６９０に開示される方法を使って第１ポリマ基板２０にダメージを与えることなくレーザ切断され得る。
【００３５】
補強配置５０は、さらに第２補強層５８を有していてもよく、第２補強層５８は、図５に示すように、第２ページ５５に取り付けられ得る。第２補強層５８は、第１補強層５７と同様な方法で、第２ページ５５の繊維性基板１７に接着されたテープを備える、又は、第１補強層５７に関して、本明細書に記載された別の配置のいずれかを有し得る。第２補強層５８は、別の実施形態では省かれてもよい。
【００３６】
第１、第２ページ５４，５５、第１、第２補強層５７，５８及びさらなるページ５６は、折り線１４に沿って共に縫われ、機密文書１０を形成する。第１補強層５７の少なくとも一部がセキュリティ特徴部を形成するように、第１補強層５７の少なくとも一部は、機密文書１０内で見えることが望ましい。代替として、第１補強層５７の少なくとも一部又は全部は隠されていてもよい。結果として、少なくとも１つのスパインセキュリティ特徴部６８は、機密文書１０が開かれていると隠され、これにより、該特徴部は変換セキュリティ特徴部になる。そのため、少なくとも１つのスパインセキュリティ特徴部６８は、例えば、磁気インク等を含むことにより、変換機１３を介して機械が検知できる機械読み取り可能なものであってもよい。
【００３７】
図８に示されるように、繊維性基板及び／又はポリマ基板から形成された外側ページ６０は、第１ページ５４とカバー１３との間に配置されるように、第１ページ５４の外側に縫われる。外側補強層６１は、粘着テープ、又は、第１補強層５７に関して本明細書で記載された配置のいずれかであり、折り線１４の周りで外側ページ６０に取り付けられ得る。外側補強層６１は、ＥＰ−Ｂ−２００４４２１におけるように、縫い線１４を保護するため、図示されたように、外側ページ６０の外側表面に取り付けられることが望ましい。しかしながら、代替の実施形態において、外側補強層６１は、外側６０の内側表面に取り付けられる。そして、外側ページ６０と外側補強層６１は、カバー１３に接着され、ブックレットを形成する。互いに十分に区別がつかず、縫い線がカバー１３と外側ページ６０との内側に完全に埋め込まれるように、外側ページ６０全体が、カバー１３全体にわたって接着されることが望ましい。外側ページ６０はまた、機密文書１０の「最終ページ」とも言われる。
【００３８】
図５〜図８において、第１ページ５４は、折り線１４から離れて広がり、カバー１３とビザページ１６との全幅にわたって広がる。国境機関が第１ポリマ基板２０と少なくとも１つの不透明層２３，２４にインクを付けること及び／又はビザシートを付すことは困難であるため、第１ページ５４は、第２サイド５２全体にわたって広がらなくてもよい。図９は、特定の実施形態を示しており、そこでは、第１ページ５４は、第２サイド５２で、第１補強層５７の端部よりも広がらず、タブ６５を形成する。タブ６５は、折り線１４からビザページ１６及び／又はカバー１３の幅の半分、より望ましくは１／４まで広がり得る。例えば、タブ６５は、折り線１４から約１ｍｍ〜約１５ｍｍまで広がり得る。この実施形態において、第１補強層５７は、第１ページ５４の広がりの半分又はより望ましくは１／４まで、第１サイド５１の折り線１４からから離れて、第１ページに沿って広がり得る。第１補強層５７は、第２サイドで第１ページ５４のほぼ全体に沿って広がる。
【００３９】
タブ６５は、少なくとも１つのスパインセキュリティ特徴部６８から形成された少なくとも１つのタブセキュリティ装置６６を備え得る。例えば、図９に示されるように、タブセキュリティ装置６６は、しるしを形成する一連の構成要素を有し得る。図示されたしるしは、タブ６５の第１ポリマ基板２０及び／又は少なくとも１つの不透明層２３，２４をレーザマーキングすることによって、又は、それら上にインクを印刷することによって形成される。タブセキュリティ装置６６はまた、本明細書記載されるような第１セキュリティ装置３０又は少なくとも１つのスパインセキュリティ特徴部６８の実施形態のいずれかと同様の方法で形成され得る。
【実施例２】
【００４０】
図１０〜図１３は、本発明のさらなる実施形態を示しており、そこでは、機密文書７０は、第１ポリマページ１１とカバー１３との間に配置されることが望ましい第２ポリマページ７１を有する。図１０〜図１３は、図１〜図４で使用される引用数字に相当する引用数字を適宜、含む。図示されるように、第２ポリマページ７１は、データページであり、個人データ１５を有することが望ましい。
【００４１】
第２ポリマページ７１は、第１ポリマページ１１とは異なる構成を有することが望ましい。特に、第１及び第２ポリマページ１１，７１の構成は、構造及び／又は材料において異なり得る。第１ポリマページ１１は、柔軟性のあるフィルムであり、第２ポリマページ７１は、剛性シートであることが望ましい。結果として、第１、第２ポリマページ１１，７１それぞれを作るために異なる技術が必要とされ、偽造の困難性が増す。異なる構成は、異なる材料、不透明層の配置、厚さ、剛性及びセキュリティ特徴部を含む可能性に起因し得る。特に望ましい実施形態において、第１ポリマページ１１は、単一層から形成された第１ポリマ基板２０とその第１及び／又は第２基板表面２１，２２上の少なくとも１つの不透明層２３，２４とを有しており、第２ポリマページ７１は融合された複数のプラスチック層から形成される。
【００４２】
第２ポリマページ７１は、十分に硬い第２ポリマ基板７２又は、第１外側表面７３と第２外側表面７４とを有する「プラスチック基板」を有することが望ましい。第１及び第２外側表面７３，７４のそれぞれは、十分に平らで平坦であることが望ましい。第２ポリマ基板７２は、実質的に非層状構造又は単一構造に融合された複数の層から形成される。第２ポリマ基板７２は、第１ポリマ基板２０とは異なるポリマであって、非繊維性であることが望ましい剛性ポリマを有することが望ましい。第２ポリマ基板７２は、熱可塑性ポリマ、例えば、ポリカーボネイト、ポリエステル、ポリエチレン、ポリプロピレン若しくはポリ塩化ビニルであってもよい。ポリカーボネイトは、その高い耐久性、製造の容易性およびセキュリティ特徴部を内部に組み込み易いため、特に適している。
【００４３】
第１外側表面７３と第２外側表面７４との間の距離である、第２ポリマ基板７２の厚さは、少なくとも約１５０μｍであることが望ましく、さらに望ましくは少なくとも約３００μｍである。特に、第２ポリマ基板７２の厚さは、約３００μｍ〜約１０００μｍの間であり、望ましくは約６００μｍから約８００μｍの間であって、例えば約３００μｍ又は約８００μｍである。第２ポリマ基板７２は、第１ポリマ基板２０より相当厚く、硬い。特に、第２ポリマ基板７２の厚さは、第１ポリマ基板２０の厚さの少なくとも２倍であり、より望ましくは少なくとも３倍である。隣接ページ１２は、第２ポリマページ７１より薄く、第１ポリマページ１１より厚いことが望ましい。
【００４４】
図１２に示されるように、第２ポリマ基板７２は、その厚み内部であって、かつ、第１及び第２十分に透明な領域７６，７７によって第１及び第２外側表面７３，７４から離されている十分に不透明な領域７５を有することが望ましい。不透明な領域７５の少なくとも一部は、少なくとも１つの十分に透明な領域７８と接する。第１、第２及び第３透明な領域７６，７７，７８は、第２ポリマ基板７２を介する少なくとも１つのウィンド８０を形成する。図示された実施形態において、単一の矩形ウィンド８０は、第２ポリマ基板７２の厚みを介して広がる。
【００４５】
個人データ１５は、不透明な領域７５と第１外側表面７３の間の第１透明な領域７６において、第２ポリマ基板７２内部の一連のレーザマーキング又はエッチングによって形成され得る。第１外側表面７３を第１外側表面７３に入射する反射光で見ると、第１外側表面７３が配置されている第１透明な領域７６のため、レーザマーキングを見ることができることが望ましい。第２ポリマ基板７２はまた、別の適当なセキュリティ特徴部、例えば、非可視データ形式のホログラム、ＵＶ反応特徴部、光学可変特徴部、窓付けされた又は透明な特徴部、アンテナ、電子チップ及びレーザ穿孔を有することが望ましい。
【００４６】
第２ポリマページ７１はさらに、第２ポリマ基板７２内又は第２ポリマ基板７２上に配置され、かつ、少なくとも一部が少なくとも１つのウィンド８０に配置された、第３セキュリティ装置８１を備え得る。図示された実施形態において、第２セキュリティ装置８１は、不透明な領域７５と第１外側表面７３との間の第１透明な領域７６に配置されたセキュリティスレッド８２を構成する。
【００４７】
図１４に示されるように、機密文書７０は、折り線１４の両側に第１サイド５１と第２サイド５２を有しており、第１及び第２サイド５１，５２は該折り線１４に関して回転し、合わさることができる。機密文書７０は、第１サイド５１に第１ポリマページ１１を有する第１ページと、第１サイドに隣接ページ１２を有する第２ページを第１ページ５４の内側に備え、第２サイド５２にビザページ１６を有する。さらなるページ５６は、第２ページ５５の内側に配置されており、第１及び第２サイド５１，５２にさらなるビザページ１６を形成する。図１４において、第３ページ８５は、第１ページ５４とカバー１３との間に配置される。図１４は、分解構成のページ５４，５５，５６，８５とカバー１３を示し、組み立てられた機密文書において、それらは折り線１４に沿った縫い目に沿ってあわせて縫われ得る。しかしながら、望ましい実施形態において、機密文書７０は、外側ページ６０又はカバー１３に接着された末端ページを有しており、第３ページ８５は、第１ページ５４と外側ページ６０との間に配置され得る。
【００４８】
第３ページ８５は、第２ポリマページ７１と第２ポリマページ７１から伸びる接続タブ８６とを有する。縫い線１４は、接続タブ８６を貫通する。接続タブ８６は、第２ポリマ基板７２よりも相当薄くかつ／又は柔軟性がある。以下にさらに記載するように、接続タブ８６は、第２ポリマページ７１の第２ポリマ基板７２を形成するプラスチックと同一のプラスチックを備えていてもよく、内側端部（つまり、折り線１４に隣接する端部）を超えて第２ポリマページ７１を形成する複数の層のうちの１つによって形成され得る。代替として、繊維、例えば、メッシュ織物が適している。ＥＰ−Ａ−１５９２５６５は、柔軟性があり、曲げ抵抗のある材料、例えば、ＰＥやＰＥＴの積層、の接続タブ８６を形成するのに特に適した方法を開示する。接続タブ８６は、折り線１４から機密文書７０の第２サイド５２へ、約２ｍｍから約２０ｍｍ分、伸びる。
【００４９】
代替実施形態において、接続タブ８６の材料は、接続タブ８６を、例えば、接着、溶接等によって、取り付け領域内の第１ページ５４に取り付けることができるように選出される。接続タブ８６は、第１補強層５７に関して上述で記載された材料であって、製造中に第２ポリマページ７１に統合され得る別の材料を有していてもよい。第１ポリマ基板２０と接続タブ８６との間に接着剤を配置するための適切な表面領域を確保するために、第２不透明層２４は、接着領域内の第１ページ５４にわたって広がっていなくてもよい。従って、折り線１４は、接着領域、接続タブ８６及び第１ページ５４を介する縫い目を有する。それゆえ、このようにして、第１補強層５７は接着領域を有し得る。接着領域は、折り線１４から機密文書７０の第２サイド５２へ、約２ｍｍから約２０ｍｍだけ伸び得る。接着領域はまた、第１ポリマページ１１に沿って、約２ｍｍから約２０ｍｍだけ伸び得る。それゆえ、偽造者は、個人データを偽造するために第１及び第２ポリマページ１１，７１の一方を交換し、変更したい場合、第１及び第２ポリマページ１１，７１の両方を、接着領域に沿って引き離さなければならない。
【００５０】
第１ポリマページ１１，隣接ページ１２，複数のビザページ１６、カバー１３及び備えられていれば第２ポリマページ７１は、通常、折り線１４に沿って接着される前に別々に形成され、機密文書７０を形成する。個人データ１５は、機密文書１０，７０の残りが集められ、データページを完成させた後に適用されることが望ましい。
【００５１】
第１ポリマページ１１は、第１ポリマ基板２０のウェブを作ること、少なくとも１つの不透明層２３，２４を第１ポリマ基板２０に適用すること、少なくとも１つの第１セキュリティ装置３０を少なくとも１つの不透明層２３，２４及び／又は第１ポリマ基板２０に付加すること、ウェブを複数の第１ページ５４に分割かつ／又は切断すること、及び、必要であれば、第１補強層５７を接着又は形成することによって製造され得る。第１補強層５７は、適切な配置でウェブに適用され、切断ステーションで切断され得る。代替として、第１補強層５７は、切断後、第１ページ５４のそれぞれに適用され得る。
【００５２】
セキュリティスレッド３６の形態である第２セキュリティ装置３５を繊維性基板１７に組み込むため、隣接ページ１２は、本明細書に内容が援用されているＥＰ−Ａ−００５９０５６又はＷＯ−Ａ−２００５／０６９２３１に開示された方法と同様の方法で製造されることが望ましい。繊維性基板１７は、繊維を支持基板に配置することにより形成され、繊維性基板の層を形成し、支持表面から繊維性基板層を切り取り、繊維性基板を乾かす。
【００５３】
第２ポリマページは、通常、インサートを形成することと、インサートとその中の第２セキュリティ装置３５とを含む複数のプラスチック層を形成することと、複数のプラスチック層をラミネータ内であわせて積層し、第２ポリマ基板７２を形成することとによって製造される。
【００５４】
接続タブ８６は、例えば、ＥＰ−Ｂ−１５９２５６５に記載されているような本分野で知られているいずれの方法によっても形成され得る。１つ以上の複数のプラスチック層は、形成された第２ポリマ基板７２から広がり、接続タブ８６を形成するために、残りのプラスチック層より幅広であり得る。代替として、繊維等が、複数のプラスチック層のうちの２つの間に配置され、積層の間、そこで融合され得る。十分に透明なプラスチックストリップは、パンチング工具によって切断され、複数のプラスチック層を配置する前又は配置する間、複数のインサートを形成してもよい。各インサートの境界線形状は、各ウィンド８０の境界線形状を形成する。積層工程の間、複数のプラスチック層とインサートは、プラスチックがそれらの間の境界にわたって流れ、混合するように、少なくとも柔らかく又は半溶融（つまり、比較的高い粘性の液体）になる。
【００５５】
第１ページ５４、第２ページ５５、第３ページ８５、さらなるページ５６及び／又はカバー１３は、例えば、縫うことによって、カバー１３と結合され、機密文書１０，７０を形成する。さらに、より望ましい実施形態において、外側のページ６０又は末端カバーは、ページ５４，５５，５６，８５とカバー１３との間でカバー１３に接着され得る。適切な縫い工程は、ＷＯ−Ａ−２０１１／１５１６３８に記載される工程を含み、その内容は本明細書に援用される。
【００５６】
機密文書１０，７０の所有者に関する個人データは、結合工程の後に適用さることが望ましい。しかしながら、結合前、前記製造工程のいずれの段階間でも、個人データ１５を適用することはできる。個人データ１５は、第１ポリマページ１１、第２ポリマページ７１、隣接ページ１２及び／若しくは第１補強層５７内又はそれら上に適用され、１つ以上のデータページを形成する。ある実施形態において、個人データ１５の一部は、第１ポリマページ１１、隣接ページ１２、第２ポリマページ７１及び／若しくは第１補強層５７の内の２つ又は３つに配置され得る。個人データ１５、例えば、所有者のポートレート２６、の一部又は全部は、第１ポリマページ１１、隣接ページ１２、第２ポリマページ７１及び／若しくは第１補強層５７のそれぞれに複写され得る。個人データ１５は、異なる構成を有するように、異なる適用技術によって、第１ポリマページ１１、隣接ページ１２、第２ポリマページ７１及び／若しくは第１補強層５７のそれぞれに提供されることが望ましい。
【００５７】
上述の種々の代替もまた、本発明の領域内に収まる。機密文書１０，７０は、第１ポリマページ、第２ポリマページの両方かつ／若しくは隣接ページ１１，１２，７１を有するいずれかの適切なタイプであって、それゆえ、ブックレット形式であることが望ましい。特に、機密文書１０，７０は、パスポート、身分証明文書、証明証、免許証、小切手帳等である。特に望ましくは、機密文書１０，７０は、所有者の身元、市民権を証明し、所有者が国境を越えて旅行できるようにする政府によって発行された公文書であるという点で、パスポートである。パスポートは、ＩＣＡＯが発行した文書９３０３に設定されている必要条件を満たし得る。
【００５８】
機密文書１０は、複数の第１、第２ポリマページ１１，７１を備え、繊維性基板１７を有する隣接ページ１２を備えていなくてもよい。複数の第１及び／又は第２ポリマページ１１，７１は、ウィンド２５，８０において互いに相互作用するように配置された、同一又は異なる第１及び第３セキュリティ装置３０，８１を有しており、ウィンド２５，８０は、複数の第１及び／又は第２ポリマページ１１，７１が互いに隣接するとき、互いに重なる。
【００５９】
さらに、機密文書１０，７０における第１ポリマページ１１、隣接ページ１２及び備えられていれば第２ポリマページ７１の順序は、上記の設定順序とは異なっていてもよい。例えば、第２ポリマ基板７２を有する第２ポリマページ７１は、隣接ページ１２と第１ポリマ基板２０を有する第１ポリマページ１１との間に配置される。いずれの実施形態においても、機密文書１０，７０は、カバー１３に隣接又は接着された繊維性基板１７の外側ページ６０を有し得る。図５と図１４に示された順序は、第３ページ８５を追加する前に第１ページ５４、第２ページ５５及びさらなるページ５６の結び合わせを可能にすることによって、機密文書７０の製造をより容易にするので、図５と図１４に示された順序は望ましい。
【図１】
2019511389.tif 000003
【図２】
2019511389.tif 000004
【図３】
2019511389.tif 000005
【図４】
2019511389.tif 000006
【図５】
2019511389.tif 000007
【図６】
2019511389.tif 000008
【図７】
2019511389.tif 000009
【図８】
2019511389.tif 000010
【図９】
2019511389.tif 000011
【図１０】
2019511389.tif 000012
【図１１】
2019511389.tif 000013
【図１２】
2019511389.tif 000014
【図１３】
2019511389.tif 000015
【図１４】
2019511389.tif 000016
【手続補正書】
【提出日】平成30年8月28日(2018.8.28)
【手続補正１】
【補正対象書類名】明細書
【補正対象項目名】００１１
【補正方法】変更
【補正の内容】
【００１１】
望ましい実施形態において、第１補強層は透明である。機密文書が開いているとき、少なくとも１つのスパインセキュリティ特徴部を見ることができることが望ましい。望ましい実施形態において、第１補強層は、機密文書が閉じられているときは、少なくとも１つのスパインセキュリティ特徴部が隠されるように、少なくとも一部がカバー又は外側ページに取り付けられている。望ましい実施形態において、機密文書は、第１ページの外側に配置されたカバー及び／又は第１ページの内側に配置されたさらなるページを有し、カバー及び／又はさらなるページは、折り線に取り付けられている。機密文書は、折り線に取り付けられ、第１ページとカバーとの間に配置された外側ページを有しており、外側補強層は、折り線周りの外側ページに取り付けられている。カバーは、折り線に取り付けられ得る。
少なくとも１つのスパインセキュリティ特徴部は、印刷インク、非メタライズ特徴部、光学的可変液体結晶材料、レーザマーキング、レーザ穿孔、エンボス、スレッド、ストリップ、パッチ、ホログラム、ホイル、ホットホイル、透かし、電子的透かし、セキュリティファイバ、プランシェット、アンテナ、電子チップ、１つ以上のウィンド、にじ色増幅干渉材料、機械読み取り可能な材料、少なくとも１つの不透明層のうちの少なくとも１つから選出されることが望ましい。少なくとも１つのスパインセキュリティ特徴部は、個人データ及び／又は認識可能なパターン、証印、英数字、シンボル、ロゴ、図形のうちの少なくとも１つを形成することが望ましい。
機密文書は、折り線に沿って第１ページに取り付けられた第３ページを備えており、第３ページは、第２ポリマ基板と、第２ポリマ基板から広がる接続タブとを備えることが望ましい。第１ポリマ基板は、第２ポリマ基板の構造及び／又は材料とは異なり、かつ／又は、第１ポリマ基板は、第２ポリマ基板とは異なる重合体ポリマを有することが望ましい。第２ポリマ基板は、剛性プラスチックシートを備え、かつ／又は、融合された複数のプラスチック層から形成されることが望ましい。第１及び／又は第２ポリマ基板は，少なくとも一部が不透明な第１及び／又は第２ポリマ基板の少なくとも１つのウィンドを備えることが望ましい。
【手続補正２】
【補正対象書類名】明細書
【補正対象項目名】００１２
【補正方法】変更
【補正の内容】
【００１２】
本発明はさらに、機密文書を製造する方法を提供する。その方法は、
第１ポリマ基板を有する第１ページを形成する工程と、
第１補強層を第１ページに取り付ける又は第１補強層を第１ページとあわせて形成する工程と、
少なくとも１枚のさらなるページを折り線に沿って第１ページに取り付ける工程と、
第１ページと少なくとも１枚のさらなるページの外側にカバーを配置する工程とを有し、
少なくとも１枚のさらなるページは、第１ページとカバーとの間に配置された外側ページを有しており、
この方法において、第１補強層は、少なくとも一部が折り線に沿って、かつ、少なくとも一部が折り線から離れて、折り線の両サイドで第１ページに沿って広がる。
第１ページは、第１ポリマ基板のフィルムのウェブから形成され、かつ、少なくとも１つの不透明な層を第１ポリマ基板の少なくとも一面に適用することによって形成されることが望ましい。少なくとも１枚のさらなるページは、繊維性基板を備え、繊維を支持表面に配置し、繊維性基板を形成することと、繊維性基板層を支持基板から広げることと、繊維性基板の層を乾燥させること、によって形成されることが望ましい。少なくとも１枚のさらなるページは、第２ポリマ基板とさらなる方法を有する。さらなる方法は、少なくとも１つのウィンドを形成する複数のプラスチック層をラミネートに供給する工程と、ラミネータにおいて、複数のプラスチック層に熱と圧力を加え、第２ポリマ基板を形成する工程とを含む、少なくとも１枚のさらなるページを形成する工程を有する。
【手続補正３】
【補正対象書類名】特許請求の範囲
【補正対象項目名】全文
【補正方法】変更
【補正の内容】
【特許請求の範囲】
【請求項１】
折り線に沿ってあわせて取り付けられた少なくとも２枚のページと、前記少なくとも２枚のページの外側に配置されたカバーとを有する機密文書であって、
前記少なくとも２枚のページは、
第１ポリマ基板を有する第１ページと、
前記第１ページと前記カバーの間に配置された外側ページとを有しており、
前記第１ページでは、第１補強層が、前記第１ページに取り付けられる、又は、前記第１ページとともに形成されており、前記第１補強層は、少なくとも一部が前記折り線に沿って、かつ、少なくとも一部が前記折り線から離れて、前記折り線の両サイドで前記第１ページに沿って広がるストリップである、機密文書。
【請求項２】
前記少なくとも２つのページは、複数の縫い目によって、前記折り線に沿ってあわせて取り付けられる、請求項１に記載の機密文書。
【請求項３】
前記第１補強層と前記第１ページをあわせたものは、前記折り線からの裂け始めに対して、前記第１ページのみよりも高い抵抗を有する、請求項１又は２に記載の機密文書。
【請求項４】
前記第１補強層は、前記第１ページに接着、結合及び／若しくは融合される、請求項１〜３のいずれか１つに記載の機密文書。
【請求項５】
前記第１補強層は、テープ、メッシュ織物、織布、ポリマフィルム、セキュリティスレッド及び繊維性基板のうちの少なくとも１つを備える、請求項１〜４のいずれか１つに記載の機密文書。
【請求項６】
前記第１補強層は、少なくとも１つのスパインセキュリティ特徴部を有する、請求項１〜５のいずれか１つに記載の機密文書。
【請求項７】
前記第１補強層はベース基板を有しており、前記少なくとも１つのスパインセキュリティ特徴部は、前記ベース基板に配置されている、又は、前記ベース基板に少なくとも一部が埋め込まれている、請求項６に記載の機密文書。
【請求項８】
前記少なくとも１つのスパインセキュリティ特徴部は、前記機密文書が開いているときに見ることができる、請求項６又は７に記載の機密文書。
【請求項９】
前記少なくとも１つのスパインセキュリティ特徴部は、前記機密文書が閉じられているときに隠れている、請求項６〜８のいずれか１つに記載の機密文書。
【請求項１０】
前記第１ページは、前記折り線の第１サイドに第１ポリマページを有し、かつ、前記折り線の第２サイドにさらなるポリマページを有し、
前記第１ポリマページは個人データを有する、請求項１〜９のいずれか１つに記載の機密文書。
【請求項１１】
前記さらなるポリマページは、前記折り線の第２サイドにタブを有しており、
前記タブは、前記第１ポリマページより小さく、かつ、前記第１補強層を備える、請求項１０に記載の機密文書。
【請求項１２】
前記外側ページは前記カバーに取り付けられている、請求項１〜１１のいずれか１つに記載の機密文書。
【請求項１３】
第２ページに取り付けられた第２補強層をさらに有し、
前記第２補強層は、少なくとも一部が前記折り線に沿って広がり、少なくとも一部が前記折り線から離れて広がる、請求項１〜１２のいずれか１つに記載の機密文書。
【請求項１４】
前記第１ポリマ基板は、前記ポリマ基板の少なくとも１つの表面に柔軟性のあるフィルフィルム及び／又は少なくとも１つの不透明層を有する、請求項１〜１３のいずれか１つに記載の機密文書。
【請求項１５】
前記折り線に沿って、前記第１ページに取り付けられた第３ページを有し、
前記第３ページは、第２ポリマ基板と、前記第２ポリマ基板から広がる接続タブとを有する、請求項１〜１４のいずれか１つに記載の機密文書。
【請求項１６】
前記接続タブは、前記第２ポリマ基板よりも薄いかつ／又は柔軟性がある、請求項１５に記載の機密文書。
【請求項１７】
前記接続タブは、複数の縫い目によって、前記第１補強層を介して、前記折り線に沿って前記第１ページに取り付けられている、請求項１５又は１６に記載の機密文書。
【請求項１８】
第１ポリマ基板を有する第１ページを形成する工程と、
前記第１ページに第１補強層を取り付ける、又は、前記第１ページを前記第１補強層とあわせて形成する工程と、
折り線に沿って少なくとも１枚のさらなるページに前記第１ページを取り付ける工程と、
前記第１ページと前記少なくとも１枚のさらなるページとの外側にカバーを配置する工程とを有しており、
前記カバーを配置する工程において、前記少なくとも１枚のさらなるページは、前記第１ページと前記カバーとの間に配置された外側ページを有しており、前記第１補強層はストリップであり、少なくとも一部が前記折り線に沿って、かつ、少なくとも一部が前記折り線から離れて、前記折り線の両サイドで前記第１ページに沿って広がっている、機密文書を製造する方法。
【請求項１９】
前記第１ページは、縫うことにより、前記折り線に沿って前記少なくとも１枚のさらなるページに取り付けられる、請求項１８に記載の方法。
【請求項２０】
前記第１補強層は、結合又は接着によって、前記第１ページに接着される、又は、前記第１ページとともに形成される、請求項１８又は１９に記載の方法。
【国際調査報告】
2019511389.tif 000017
2019511389.tif 000018
2019511389.tif 000019